(57)【要約】【課題】複数画面表示において、画面合成をした後の映像信号では表示領域に割り当てられるディスプレイの画素が小さくなることにより、画質低下もしくは文字が見えない等の情報欠けが発生する。【解決手段】本発明の映像表示装置は、複数の映像信号毎に位置調整情報を作成する位置調整部と、位置調整情報に基づいて複数の映像信号の映像取り込み位置を制御する複数の位置制御部と、複数の映像信号及びディスプレイの表示領域に基づいて複数の映像信号毎にサイズ調整情報を作成するサイズ調整部と、サイズ調整情報に基づいて複数の位置制御部が出力した複数の映像信号のサイズを調整する複数のサイズ制御部と、複数のサイズ制御部が出力した複数の映像信号を合成する映像合成部と、合成された映像信号をディスプレイに表示させる映像出力部と、を具備することを特徴とする。【選択図】図１
2011254198.tif 000002
【特許請求の範囲】
【請求項１】
入力された複数の映像信号を合成してディスプレイに表示させる映像表示装置であって、
複数の前記映像信号毎に水平映像位置及び垂直映像位置を位置調整情報として作成して出力する位置調整部と、
前記位置調整部から入力された前記位置調整情報に基づいて複数の前記映像信号の映像取り込み位置を制御して出力する複数の位置制御部と、
複数の前記映像信号及び前記ディスプレイの水平出力領域及び垂直出力領域に基づいて、複数の前記映像信号毎に水平サイズ調整及び垂直サイズ調整をサイズ調整情報として作成して出力するサイズ調整部と、
前記サイズ調整部から入力された前記サイズ調整情報に基づいて、前記複数の位置制御部が出力した複数の前記映像信号のサイズを調整して出力する複数のサイズ制御部と、
前記複数のサイズ制御部から入力された複数の前記映像信号を合成して合成映像信号を出力する映像合成部と、
前記映像合成部から入力された前記合成映像信号を前記ディスプレイに表示させる映像出力部と、を具備することを特徴とする映像表示装置。
【請求項２】
前記映像信号を切り出す位置に関する要求を受信して位置制御情報として出力する入力部と、を更に備え、
前記位置調整部は、前記入力部から入力された前記位置制御情報に基づいて前記映像信号の前記位置調整情報を作成して出力し、
前記サイズ調整部は、前記映像信号及び前記ディスプレイの水平出力領域及び垂直出力領域に基づいて、前記映像信号を前記ディスプレイ全体に拡大するよう前記サイズ調整情報を作成する、ことを特徴とする請求項１に記載の映像表示装置。
【請求項３】
入力された複数の映像信号を合成してディスプレイに表示させるための映像表示方法であって、
複数の前記映像信号毎に水平映像位置及び垂直映像位置を位置調整情報として作成して出力する位置調整ステップと、
出力された前記位置調整情報に基づいて複数の前記映像信号の映像取り込み位置を制御して出力する位置制御ステップと、
複数の前記映像信号及び前記ディスプレイの水平出力領域及び垂直出力領域に基づいて、複数の前記映像信号毎に水平サイズ調整及び垂直サイズ調整をサイズ調整情報として作成して出力するサイズ調整ステップと、
出力された前記サイズ調整情報に基づいて、前記位置制御ステップが出力した複数の前記映像信号のサイズを調整して出力するサイズ制御ステップと、
前記サイズ制御ステップが出力した複数の前記映像信号を合成して合成映像信号を出力する映像合成ステップと、
出力された前記合成映像信号を前記ディスプレイに表示させる映像出力ステップと、を有することを特徴とする映像表示方法。
【請求項４】
前記映像信号を切り出す位置に関する要求を受信して位置制御情報として出力する入力ステップと、を更に備え、
前記位置調整ステップは、出力された前記位置制御情報に基づいて前記映像信号の前記位置調整情報を作成して出力し、
前記サイズ調整ステップは、前記映像信号及び前記ディスプレイの水平出力領域及び垂直出力領域に基づいて、前記映像信号を前記ディスプレイ全体に拡大するよう前記サイズ調整情報を作成する、ことを特徴とする請求項３に記載の映像表示方法。
【発明の詳細な説明】
【技術分野】
【０００１】
本発明は、映像表示装置及び映像表示方法に関し、更に詳しくは、入力された複数の映像信号を合成して表示させることが可能な映像表示装置及び映像表示方法に関する。
【背景技術】
【０００２】
映像表示装置では、入力された複数の映像信号を合成表示するために、図６に示すようなピクチャーアンドピクチャー（Ｐｉｃｔｕｒｅ  ａｎｄ  Ｐｉｃｔｕｒｅ、以下、ＰａｎｄＰと称す）６０１、ピクチャーアウトピクチャー（Ｐｉｃｔｕｒｅ  ｏｕｔ  Ｐｉｃｔｕｒｅ、以下、ＰｏｕｔＰと称す）６０２、ピクチャーインピクチャー（Ｐｉｃｔｕｒｅ  ｉｎ  Ｐｉｃｔｕｒｅ、以下、ＰｉｎＰと称す）６０３のような表示方法を採用している。ＰａｎｄＰとは、複数の映像信号を並べて表示する表示方法である。ＰｏｕｔＰとは、主画面（特定の映像信号）を縮小するとともに縮小によって空いた領域に副画面（特定の映像信号以外の映像信号）を表示する表示方法である。ＰｉｎＰとは、主画面（特定の映像信号）の中に副画面（特定の映像信号以外の映像信号）を表示する表示方法である。
【０００３】
また、従来、２つの映像信号を２画面表示（ＰｏｕｔＰ）する場合に、リモコン操作により主画面及び副画面の画面サイズを変更可能な映像表示装置がある（例えば、特許文献１参照）。この映像表示装置では、リモコンのスライドレバーを操作することで２画面のサイズ比率を任意に変更し、サイズ比率に応じて、画面に表示する映像信号の表示サイズを変更している。
【先行技術文献】
【特許文献】
【０００４】
【特許文献１】特開２００８−０８５５４６号公報
【発明の概要】
【発明が解決しようとする課題】
【０００５】
しかしながら、上記従来の特許文献１記載の映像表示装置では、２画面のサイズ比率の変更に応じて映像信号自体の表示サイズも変更するものであり、例えば視聴中のＤＶＤ映像を主画面に表示し、ニュース情報を一部に含むデータ放送を副画面に表示する場合において、主画面サイズを大きくした場合に、副画面に表示されたニュース情報の表示サイズが小さくなり、画質劣化もしくは情報欠けが発生し、ユーザーはニュース情報を確認しにくいという問題があった。
【０００６】
ここで、上記問題を、図７を用いて詳述する。例えば、１４４０画素×１０８０画素の出力映像（データ放送）７０１に対して、ニュース情報７０２が７２０画素×３６０画素になっている場合、ニュース情報７０２を含むデータ放送７０１を副画面として表示すると、副画面の上下に無駄な領域が表示されているだけではなく、副画面の領域に割り当てられるディスプレイの画素が小さくなることにより、画質低下もしくはニュース情報７０２の文字が見えない等の情報欠けが発生するという問題があった。
【０００７】
詳述すると、例えば、全体の画素が水平１３６６画素、垂直７６８画素のディスプレイで、ＰｏｕｔＰによって２画面を表示させた場合、主画面の表示領域は１０２４画素×７６８画素となり、副画面の表示領域は３４２画素×２５６画素となる。この副画面の表示領域の中で、７２０画素×３６０画素のニュース情報７０２を表示させた場合、水平画素は３４２×（７２０／１４４０）＝１７１画素、垂直画素は２５６×（３６０／１０８０）＝８５画素となり、２画面表示前のニュース情報７０２の画素よりも２画面表示後のニュース情報７０３の画素は小さな画素となり、画質劣化もしくは情報欠けが発生する。
【０００８】
また、上記従来の特許文献１記載の映像表示装置では、２画面表示する際に、２画面表示領域以外の領域７０４には映像信号が表示されておらず、表示領域を有効に活用できていない。
【０００９】
本発明は、上記事情に鑑みてなされたものであって、複数の映像信号を合成表示する場合において、各々の映像信号を任意の位置で切り出し、切り出された映像信号を合成してマルチ画面として全画面表示することが可能な映像表示装置及び映像表示方法を提供することを目的とする。
【課題を解決するための手段】
【００１０】
本発明の請求項１に係る映像表示装置は、入力された複数の映像信号を合成してディスプレイに表示させる映像表示装置であって、複数の映像信号毎に水平映像位置及び垂直映像位置を位置調整情報として作成して出力する位置調整部と、位置調整部から入力された位置調整情報に基づいて複数の映像信号の映像取り込み位置を制御して出力する複数の位置制御部と、複数の映像信号及びディスプレイの水平出力領域及び垂直出力領域に基づいて、複数の映像信号毎に水平サイズ調整及び垂直サイズ調整をサイズ調整情報として作成して出力するサイズ調整部と、サイズ調整部から入力されたサイズ調整情報に基づいて、複数の位置制御部が出力した複数の映像信号のサイズを調整して出力する複数のサイズ制御部と、複数のサイズ制御部から入力された複数の映像信号を合成して合成映像信号を出力する映像合成部と、映像合成部から入力された合成映像信号をディスプレイに表示させる映像出力部と、を具備することを特徴とする。
【００１１】
また、本発明の請求項２に係る映像表示装置は、本発明の請求項１に係る映像表示装置の構成において、映像信号を切り出す位置に関する要求を受信して位置制御情報として出力する入力部と、を更に備え、位置調整部は、入力部から入力された位置制御情報に基づいて映像信号の位置調整情報を作成して出力し、サイズ調整部は、映像信号及びディスプレイの水平出力領域及び垂直出力領域に基づいて、映像信号をディスプレイ全体に拡大するようサイズ調整情報を作成する、ことを特徴とする。
【００１２】
また、本発明の請求項３に係る映像表示方法は、入力された複数の映像信号を合成してディスプレイに表示させるための映像表示方法であって、複数の映像信号毎に水平映像位置及び垂直映像位置を位置調整情報として作成して出力する位置調整ステップと、出力された位置調整情報に基づいて複数の映像信号の映像取り込み位置を制御して出力する位置制御ステップと、複数の映像信号及びディスプレイの水平出力領域及び垂直出力領域に基づいて、複数の映像信号毎に水平サイズ調整及び垂直サイズ調整をサイズ調整情報として作成して出力するサイズ調整ステップと、出力されたサイズ調整情報に基づいて、位置制御ステップが出力した複数の映像信号のサイズを調整して出力するサイズ制御ステップと、サイズ制御ステップが出力した複数の映像信号を合成して合成映像信号を出力する映像合成ステップと、出力された合成映像信号をディスプレイに表示させる映像出力ステップと、を有することを特徴とする。
【００１３】
また、本発明の請求項４に係る映像表示方法は、本発明の請求項３に係る映像表示方法の構成において、映像信号を切り出す位置に関する要求を受信して位置制御情報として出力する入力ステップと、を更に備え、位置調整ステップは、出力された位置制御情報に基づいて映像信号の前記位置調整情報を作成して出力し、サイズ調整ステップは、映像信号及びディスプレイの水平出力領域及び垂直出力領域に基づいて、映像信号をディスプレイ全体に拡大するようサイズ調整情報を作成する、ことを特徴とする。
【発明の効果】
【００１４】
本発明によれば、複数の映像信号をそれぞれ任意の位置で切り出し、切り出された映像信号を合成してマルチ画面で全画面表示するので、画質が劣化することなく、かつ文字情報を欠落することがなくなり、効果的に映像を表示させることができる。
【００１５】
また、リモコンの十字キーを利用して、ユーザー操作により、簡単に各映像信号の切り出し位置調整を行うことができる。
【図面の簡単な説明】
【００１６】
【図１】本発明の実施の形態１に係る映像表示装置の構成を示すブロック図
【図２】本発明の実施の形態１に係る合成表示画面の例を示す図
【図３】本発明の実施の形態２に係る映像表示装置の構成を示すブロック図
【図４】本発明の実施の形態２に係る合成表示画面の例を示す図
【図５】本発明の実施の形態２に係る合成表示画面の例を示す図
【図６】従来の合成表示画面を示す図
【図７】従来のＰｏｕｔＰ表示画面を示す図
【図８】従来のＰｏｕｔＰ表示画面を示す図
【発明を実施するための形態】
【００１７】
以下、本発明を実施するための最良の形態について、図面を参照しながら説明する。
【００１８】
（実施の形態１）
図１は、本発明の実施の形態１に係る映像表示装置の構成を示すブロック図である。本実施の形態では、多画面を合成する例として、２つの映像信号（映像信号Ａ、映像信号Ｂ）を合成して２画面（ＰｉｎＰ）表示する映像表示装置を例に挙げて説明する。映像表示装置１００は、位置調整部１１１と、サイズ調整部１１２と、第１の位置制御部１２１と、第２の位置制御部１２２と、第１のサイズ制御部１２３と、第２のサイズ制御部１２４と、映像合成部１３０と、映像出力部１４０から構成される。
【００１９】
位置調整部１１１は、入力部（図示せず）からの合成画面表示要求に応じて位置調整情報を作成し、作成された位置調整情報を第１の位置制御部１２１及び第２の位置制御部１２２へ出力する。位置調整情報の作成方法については、後ほど図２を用いて詳述する。
【００２０】
サイズ調整部１１２は、位置調整部１１１からの情報に応じてサイズ調整情報を作成し、作成されたサイズ調整情報を第１のサイズ制御部１２３及び第２のサイズ制御部１２４へ出力する。サイズ調整情報の作成方法については、後ほど図２を用いて詳述する。
【００２１】
第１の位置制御部１２１は、位置調整部１１１からの位置調整情報に基づいて、入力された映像信号Ａの映像開始位置を調整し、映像開始位置が調整された映像信号Ａをサイズ制御部１２３へ出力する。第２の位置制御部１２２は、位置調整部１１１からの位置調整情報に基づいて、入力された映像信号Ｂの映像開始位置を調整し、映像開始位置が調整された映像信号Ｂをサイズ制御部１２４へ出力する。ここで、映像信号Ａ及び映像信号Ｂは、チューナ（図示せず）で受信された放送信号に含まれる映像信号であってもよいし、通信部（図示せず）によってネットワーク経由で受信された映像信号であってもよい。また、媒体挿入部（図示せず）に挿入された記録媒体に記録された映像信号であってもよい。
【００２２】
第１のサイズ制御部１２３は、サイズ調整部１１２からのサイズ調整情報に基づいて、第１の位置制御部１２１から入力された映像信号Ａの映像サイズを調整し、映像サイズが調整された映像信号Ａを映像合成部１３０へ出力する。第２のサイズ制御部１２４は、サイズ調整部１１２からのサイズ調整情報に基づいて、第２の位置制御部１２２から入力された映像信号Ｂの映像サイズを調整し、映像サイズが調整された映像信号Ｂを映像合成部１３０へ出力する。
【００２３】
映像合成部１３０は、第１のサイズ制御部１２３から入力された映像信号Ａと第２のサイズ制御部１２４から入力された映像信号Ｂとを合成し、合成された映像信号である合成映像信号を映像出力部１４０へ出力する。映像出力部１４０は、映像合成部１３０から入力された合成映像信号をディスプレイ（図示せず）に表示させる。
【００２４】
まず、図８に示す従来の映像表示装置における合成表示画面例を用いて本発明の課題を明確化する。図８では、映像信号Ａ８０１として、水平７２０画素、垂直４８０画素の映像信号が入力され、映像信号Ｂ８０２として、水平１４４０画素、垂直１０８０画素の映像信号が入力される場合を考える。これは、映像信号Ａ８０１としてＤＶＤの映像信号が入力され、映像信号Ｂ８０２として地上デジタル放送（データ放送）の映像信号が入力されている場合の一般的な画素数である。
【００２５】
図８に示す従来の映像表示装置では、映像信号を内部画像メモリに取り込む開始点を設定することで位置制御を行っている。例えば、映像信号Ａ８０１に対して、水平同期期間（ＨｓＡ）と水平バックポーチ期間（ＨｂＡ）を加算することにより水平映像位置Ａ８０４を定め（水平映像位置Ａ＝ＨｓＡ＋ＨｂＡ）、映像信号Ａ８０１の有効画素から映像を取り込む。同様に、垂直映像位置Ａ８０５に関しては、垂直同期期間（ＶｓＡ）と垂直バックポーチ期間（ＶｂＡ）を加算して垂直映像位置Ａ８０５を定め（垂直映像位置Ａ＝ＶｓＡ＋ＶｂＡ）、映像信号Ａ８０１の有効画素から映像を取り込む。
【００２６】
上記処理後、図８に示す従来の映像表示装置は、入力画素から出力画素への拡大／縮小率を設定することでサイズ調整を行う。映像信号Ａ８０１の水平有効画素領域が７２０画素、映像信号Ａ８０１の水平出力領域が１０２４画素であるため、水平サイズ調整Ａ＝（１０２４／７２０）によって拡大率を定義する。同様に、垂直有効画素領域が４８０画素、垂直出力領域が７６８画素であるため、垂直サイズ調整Ａ＝（７６８／４８０）によって拡大率を定義する。
【００２７】
映像信号Ｂ８０２に関しては、映像信号Ｂ８０２が水平１４４０画素、垂直１０８０画素、出力画素が水平３４２画素、垂直２５６画素であるため、上記の算出式によって、水平映像位置Ｂ、垂直映像位置Ｂ、水平サイズ調整Ｂ、垂直サイズ調整Ｂを同様に算出する。
【００２８】
次に、図８に示す従来の映像表示装置は、映像信号Ａ８０１の表示開始座標を、ディスプレイに対して（水平開始座標、垂直開始座標）＝（０、０）に設定し、映像信号Ｂ８０２の表示開始座標を（水平開始座標、垂直開始座標）＝（１０２４、２５６）に設定した場合、図８の合成画面８０６のような合成映像信号がディスプレイに表示される。
【００２９】
しかしながら、上記従来の映像表示装置では、例えば、副画面に表示する映像信号Ｂ８０２がデータ放送であって、映像信号Ｂ８０２の一部に水平７２０画素、垂直３６０画素のニュース情報８０３などの注目すべき小さな映像があった場合、最終の出力画像上である合成画面８０６では、このニュース情報８０３は水平１７１画素、垂直８５画素で表示されることになり（８０７）、元のニュース情報８０３に対して、画素比＝（１７１×８５）／（７２０×３６０）＝０．０５６２となり、約５．６％の情報となってしまう。これでは、大幅な画質劣化を発生させる、もしくは文字情報が正しく表示できない可能性がある。また、ディスプレイ上に無駄な領域が多く残されてしまう。
【００３０】
そこで、本発明の実施の形態１に係る映像表示装置１００では、主画面、副画面を全画面に表示させ、副画面の映像の一部分だけを切り取り合成することによって、効果的に映像を表示させることを目的としている。以下、本実施の形態に係る映像表示装置１００の映像合成処理について図２を用いて説明する。ここで、映像信号Ａ及び映像信号Ｂについては、図８の映像信号Ａ８０１及び映像信号Ｂ８０２であるとする。
【００３１】
本実施の形態では、位置調整部１１１は、入力された映像信号がデータ放送であるか否かを判断し、映像信号がデータ放送でない場合は映像信号をディスプレイ全体に拡大表示させるように位置調整情報を作成し、映像信号がデータ放送である場合はデータ放送のうちの表示が必要と判断した所定部分の映像信号（例えば、ニュース情報等の文字情報）を拡大表示させるように位置調整情報を作成する。また、位置調整部１１１は、データ放送であるか否かの情報をサイズ調整部１１２へ出力する。
【００３２】
映像信号Ａ８０１に関しては、位置調整部１１１は、映像信号Ａ８０１をデータ放送でないと判断する。そのため、映像信号Ａ８０１の水平映像位置Ａを水平同期期間（ＨｓＡ）と水平バックポーチ期間（ＨｂＡ）を加算することにより算出する（水平映像位置Ａ＝ＨｓＡ＋ＨｂＡ）。また、垂直映像位置Ａを垂直同期期間（ＶｓＡ）と垂直バックポーチ期間（ＶｂＡ）を加算することにより算出する（垂直映像位置Ａ＝ＶｓＡ＋ＶｂＡ）。そして、水平映像位置Ａ及び垂直映像位置Ａを位置調整情報として第１の位置制御部１２１へ出力する。第１の位置制御部１２１は位置調整情報に基づいて、該当する位置から映像信号Ａ８０１をとりこみ、第１のサイズ制御部１２３へ出力する。
【００３３】
一方、映像信号Ｂ８０２に関しては、位置調整部１１１は、映像信号Ｂ８０２をデータ放送として判断し、かつニュース情報８０３を必要な所定部分の映像信号と判断する。ニュース情報８０３は、水平７２０画素、垂直３６０画素であって、映像信号Ｂ８０２（水平１４４０画素、垂直１０８０画素）の水平方向の右２分の１、ならびに垂直方向下３分の１に位置する。この時、位置調整部１１１は、映像信号Ｂ８０２の水平映像位置Ｂ２０１を、水平映像位置Ｂ＝ＨｓＢ＋ＨｂＢ＋（１４４０−７２０）によって算出し、映像信号Ｂ８０２の垂直映像位置Ｂ２０２を、垂直映像位置Ｂ＝ＶｓＢ＋ＶｂＢ＋（１０８０−３６０）によって算出する。そして、水平映像位置Ｂ２０１及び垂直映像位置Ｂ２０２を位置調整情報として第２の位置制御部１２２へ出力する。第２の位置制御部１２２は位置調整情報に基づいて、該当する位置から映像信号Ｂ８０２をとりこみ、第２のサイズ制御部１２４へ出力する。
【００３４】
次に、サイズ調整部１１２の処理について説明する。サイズ調整部１１２は、位置調整部１１１からの情報（映像信号がデータ放送であるか否かの情報）に応じて、サイズ調整情報を作成する。映像信号がデータ放送でない場合は映像信号をディスプレイ全体に拡大表示させるようにサイズ調整情報を作成し、映像信号がデータ放送である場合はデータ放送のうちの表示が必要と判断した所定部分の映像信号（例えば、ニュース情報等の文字情報）を拡大表示させるようにサイズ調整情報を作成する。
【００３５】
映像信号Ａ８０１はデータ放送ではないので、サイズ調整部１１２は、水平出力領域を１３６６画素と判断し、水平サイズ調整Ａ＝（１３６６／７２０）によって拡大率を定義する。同様に、垂直出力領域は７６８画素となり、垂直サイズ調整Ａ＝（７６８／４８０）によって拡大率を定義する。そして、水平サイズ調整Ａ及び垂直サイズ調整Ａをサイズ調整情報として第１のサイズ制御部１２３へ出力する。第１のサイズ制御部１２３はサイズ調整情報に基づいて、第１の位置制御部１２１から入力された映像信号Ａ８０１を拡大して映像合成部１３０へ出力する。
【００３６】
一方、映像信号Ｂ８０２はデータ放送であってニュース情報８０３はデータ放送のうちの表示が必要と判断した所定部分の映像信号であるため、少なくとも、映像信号Ｂ８０２を全画面表示したときのニュース情報８０３と同サイズ（水平方向の右２分の１、ならびに垂直方向下３分の１）で表示する必要がある。そのため、サイズ調整部１１２は、水平出力領域を水平方向の２分の１である６８３画素とし、垂直出力領域を垂直方向の３分の１である２５６画素と判断する。そして、水平サイズ調整値Ｂを、水平サイズ調整Ｂ＝（６８３／７２０）によって定義し、垂直サイズ調整Ｂを、垂直サイズ調整Ｂ＝（２５６／３６０）によって定義する。そして、水平サイズ調整Ｂ及び垂直サイズ調整Ｂをサイズ調整情報として第２のサイズ制御部１２４へ出力する。第２のサイズ制御部１２４はサイズ調整情報に基づいて、第２の位置制御部１２２から入力された映像信号Ｂ８０２を拡大して映像合成部１３０へ出力する。
【００３７】
映像合成部１３０は、拡大された映像信号Ａ８０１と拡大された映像信号Ｂ８０２とを合成して映像出力部１４０へ出力する。具体的には、映像信号Ａ８０１の表示開始座標を、ディスプレイ（図示せず）に対して（水平開始座標、垂直開始座標）＝（０、０）に設定し、映像信号Ｂ８０２の表示開始座標を（水平開始座標、垂直開始座標）＝（１３６６／２、７６８×２／３）に設定し、映像信号Ａ８０１の上に映像信号Ｂ８０２を乗せる形で合成して出力する。これにより、ディスプレイ（図示せず）には、映像信号Ｂ８０２の一部の映像領域が、元の映像信号Ｂ８０２を画面全体に表示したときと同じ領域に同じ倍率で表示される状態（２０３）となり、画質が劣化することや、文字情報などが正しく表示されない、といった問題は発生しなくなる。
【００３８】
なお、本実施の形態では、ニュース情報を水平７２０画素、垂直３６０画素の領域を例として挙げたが、任意の画素の映像に関しても同様に適用できる。
【００３９】
（実施の形態２）
図３は、本発明の実施の形態２に係る映像表示装置の構成を示すブロック図である。本実施の形態では、ユーザーのリモコン操作によって、映像信号の切り出し位置を可変させる点が実施の形態１と異なる。本実施の形態の映像表示装置３００は、入力部３０１と、位置調整部３０２と、サイズ調整部３０３と、第１の位置制御部１２１と、第２の位置制御部１２２と、第１のサイズ制御部１２３と、第２のサイズ制御部１２４と、映像合成部１３０と、映像出力部１４０から構成される。図１と同符号を付したものは同機能を有するため説明を省略する。
【００４０】
入力部３０１は、ユーザーからの位置切り出しに関する要求をリモコン信号として受信し、受信したリモコン信号を解析して位置制御情報として位置調整部３０２へ出力する。
【００４１】
位置調整部３０２は、入力部３０１から受信した位置制御情報に基づいて、位置調整情報を作成し、作成された位置調整情報を第１の位置制御部１２１及び第２の位置制御部１２２へ出力する。位置調整情報の作成方法については、後ほど図４及び図５を用いて詳述する。
【００４２】
サイズ調整部３０２は、ディスプレイ（図示せず）の水平出力領域及び垂直出力領域の情報に基づいて、映像信号をディスプレイ（図示せず）全体に拡大表示させるようにサイズ調整情報を作成し、作成されたサイズ調整情報を第１のサイズ制御部１２３及び第２のサイズ制御部１２４へ出力する。
【００４３】
次に、図４を用いて、本発明の実施の形態２に係る映像表示装置３００の位置調整部３０２での位置調整処理について説明する。
【００４４】
例えば、図４（１）に示すように、予め位置調整部３０２において映像表示領域の水平方向を１０ステップに分割したとき、左から２ステップの位置と、右から０ステップの位置に映像信号を切り出す境界を持つ映像信号４０１が表示されているとする。このとき、ユーザーが位置切り出しに関する要求としてリモコン（図示せず）の十字キーの右を３回押すことによって、入力部３０１はこの位置切り出しに関する要求をリモコン信号として受信し、「映像信号を右から３ステップ分切り取る」という位置制御情報を生成して、位置調整部３０２へ出力する。位置調整部３０２は、位置調整情報として「左側にある映像信号の境界を左から２ステップの位置から、５ステップの位置まで、右方向に３ステップ移動する」ことを示す位置調整情報を作成し、第１の位置制御部１２１または第２の位置制御部１２２へ出力する。第１の位置制御部１２１または第２の位置制御部１２２は、位置調整部３０２からの位置調整情報に基づいて、映像信号を切り出して第１のサイズ制御部１２３または第２のサイズ制御部１２４へ出力する。これにより映像信号４０２が表示される。また、リモコン十字キーの左を２回押すことで、右側にある映像信号の境界を右から０ステップの位置から、２ステップの位置まで、左方向に２ステップ移動させた映像信号４０３を表示することもできる。以下、前記処理について図４（１）を用いて詳述する。
【００４５】
図４（１）は、左側の映像信号の境界を左から２ステップの位置から、５ステップの位置まで、変化させたい場合について示している。ここで、切り出し対象の元映像信号は映像信号Ｂ８０２（水平１４４０画素、垂直１０８０画素）であるとする。また、映像信号Ｂ８０２の水平表示領域を１０ステップに分割した場合、水平表示領域の１ステップは１４４０×（１／１０）＝１４４画素となる。
【００４６】
位置調整部３０２において、映像信号Ｂ８０２の取り込み位置を左から５ステップの位置に移動させる場合、映像信号Ｂ（水平１４４０画素、垂直１０８０画素）の映像取り込み位置は、水平映像位置Ｂ＝ＨｓＢ＋ＨｂＢ＋１４４０×（５／１０）となり、垂直映像位置Ｂ＝ＶｓＢ＋ＶｂＢとなる。位置調整部３０２は、この水平映像位置Ｂ及び垂直映像位置Ｂを位置調整情報として第２の位置制御部１２２へ出力する。
【００４７】
サイズ調整部３０３は、ディスプレイ（図示せず）の水平出力領域が１３６６画素、垂直出力領域が７６８画素であるので、実施の形態１と同様に、水平サイズ調整Ｂ＝（１３６６／１４４０）、垂直サイズ調整Ｂ＝（７６８／１０８０）としたサイズ調整情報を第２のサイズ制御部１２４へ出力する。つまり、位置調整部３０２で取り込んだ映像信号Ｂ８０２の一部の映像信号を、元の映像信号Ｂ８０２を全画面表示したときと同じ倍率でディスプレイ（図示せず）に拡大表示させるように拡大率を設定する。
【００４８】
上記処理後、映像合成部１３０において、拡大された映像信号Ａ８０１と拡大された映像信号Ｂ８０２とを合成して映像出力部１４０へ出力する。具体的には、映像信号Ｂ８０２の表示開始座標を左から５ステップの位置に移動させる。つまり、映像信号Ａ８０１の表示開始座標を、ディスプレイ（図示せず）に対して（水平開始座標、垂直開始座標）＝（０、０）に設定し、映像信号Ｂ８０２の表示開始座標を（水平開始座標、垂直開始座標）＝（１３６６×（５／１０）、０）に設定し、映像信号Ａ８０１の上に映像信号Ｂ８０２を  乗せる形で合成した映像信号４０２をディスプレイ（図示せず）に表示する。
【００４９】
このように、映像取り込み位置を、表示開始位置を設定したいステップの位置に設定することで、リモコンの十字キー右押しで、副画面が左から切り取られていく動作を実現することができる。同様の処理によって、リモコンの十字キー左押しで、副画面が右から切り取られていく動作も実現できる。
【００５０】
図４（２）は、予め位置調整部３０２において映像表示領域の垂直方向を１０ステップに分割したとき、上から１ステップの位置と、下から０ステップの位置に映像信号を切り出す境界を持つ映像信号４０４が表示されているとする。このとき、ユーザーが位置切り出しに関する要求としてリモコン（図示せず）の十字キーの下を６回押すことで、映像信号の境界を上から１ステップの位置から、７ステップの位置まで、下方向に６ステップ移動した映像信号４０５を表示することができる。また、リモコン十字キーの上を５回押すことで、映像信号の境界を下から０ステップの位置から、５ステップの位置まで、上方向に２ステップ移動させた映像信号４０６を表示することもできる。以下、前記処理について図４（２）を用いて詳述する。
【００５１】
図４（２）は、映像信号の境界を上から１ステップの位置から、７ステップの位置まで、変化させたい場合について示している。ここで、切り出し対象の元映像信号は映像信号Ｂ８０２（水平１４４０画素、垂直１０８０画素）であるとする。また、映像信号Ｂ８０２の垂直表示領域を１０ステップに分割した場合、垂直表示領域の１ステップは１０８０×（１／１０）＝１０８画素となる。
【００５２】
位置調整部３０２において、映像信号Ｂ８０２の取り込み位置を上から７ステップの位置に移動させる場合、映像信号Ｂ（水平１４４０画素、垂直１０８０画素）の映像取り込み位置は、水平映像位置Ｂ＝ＨｓＢ＋ＨｂＢとなり、垂直映像位置Ｂ＝ＶｓＢ＋ＶｂＢ＋１０８０×（７／１０）となる。位置調整部３０２は、この水平映像位置Ｂ及び垂直映像位置Ｂを位置調整情報として第２の位置制御部１２２へ出力する。
【００５３】
サイズ調整部３０３は、ディスプレイ（図示せず）の水平出力領域が１３６６画素、垂直出力領域が７６８画素であるので、実施の形態１と同様に、水平サイズ調整Ｂ＝（１３６６／１４４０）、垂直サイズ調整Ｂ＝（７６８／１０８０）としたサイズ調整情報を第２のサイズ制御部１２４へ出力する。つまり、位置調整部３０２で取り込んだ映像信号Ｂ８０２の一部の映像信号を、元の映像信号Ｂ８０２を全画面表示したときと同じ倍率でディスプレイ（図示せず）に拡大表示させるように拡大率を設定する。
【００５４】
上記処理後、映像合成部１３０において、拡大された映像信号Ａ８０１と拡大された映像信号Ｂ８０２とを合成して映像出力部１４０へ出力する。具体的には、映像信号Ｂ８０２の表示開始座標を上から７ステップの位置に移動させる。つまり、映像信号Ａ８０１の表示開始座標を、ディスプレイ（図示せず）に対して（水平開始座標、垂直開始座標）＝（０、０）に設定し、映像信号Ｂ８０２の表示開始座標を（水平開始座標、垂直開始座標）＝（０、７６８×（７／１０））に設定し、映像信号Ａ８０１の上に映像信号Ｂ８０２を  乗せる形で合成した映像信号４０５をディスプレイ（図示せず）に表示する
このように、映像取り込み位置を、表示開始位置を設定したいステップの位置に設定することで、リモコンの十字キー下押しで、副画面が上から切り取られていく動作を実現することができる。同様の処理によって、リモコンの十字キー上押しで、副画面が下から切り取られていく動作も実現できる。
【００５５】
なお、図５に示すように、水平方向の映像信号を切り取る境界の位置を決定した後、垂直方向の映像信号を切り取る位置を決定することで、水平方向、垂直方向の両方とも任意の位置で切り取ることができ、必要な領域のみを切り出すこともできる。
【００５６】
なお、本実施の形態では、水平表示領域、垂直表示領域をともに１０ステップに分割した例を挙げて説明したが、さらに多くのステップに分割することもできる。例えば、画素数と等しいステップに分割した際は、画素単位での移動も可能である。
【産業上の利用可能性】
【００５７】
本発明にかかる映像表示装置及び映像表示方法は、複数の画面を合成して出力することが可能な映像表示装置において、複数の映像信号をそれぞれ任意の位置で切り出し、切り出された映像信号を合成してマルチで全画面表示することにより効果的に映像を表示させることができ、また、リモコンの十字キーを利用して、より簡単な映像信号の切り出し位置を調整することができるので、複数の映像入力を合成して表示させることが可能な映像表示装置として有用である。
【符号の説明】
【００５８】
１００、３００    映像表示装置
１１１、３０２    位置調整部
１２１、３０３    サイズ調整部
１２１    第１の位置制御部
１２２    第２の位置制御部
１２３    第１のサイズ制御部
１２４    第２のサイズ制御部
１３０    映像合成部
１４０    映像出力部
３０１    入力部
【図１】
2011254198.tif 000003
【図２】
2011254198.tif 000004
【図３】
2011254198.tif 000005
【図４】
2011254198.tif 000006
【図５】
2011254198.tif 000007
【図６】
2011254198.tif 000008
【図７】
2011254198.tif 000009
【図８】
2011254198.tif 000010